(57)【要約】【課題】両面画像を中綴じ製本した場合のシートの整合性を高めるシート処理装置及びこれを併設する画像形成装置を提供する。【解決手段】画像形成装置から排出されるシートを順次受け入れ、いったんスタックしかつ整合するスティプルトレイＦ、このスティプルトレイＦへ前記シートを排出するスティプル排紙部１１、前記シートの搬送方向を揃える戻しコロ１３、この戻しコロ１３によってシート後端部を突き当てる後端基準フェンス７３、前記シートの幅方向を揃えるジョガーフェンス５３、綴じ処理を行う綴じ装置及び綴じ処理されたシート束を排紙トレイへ放出する放出機構を有し、中綴じ処理と端面綴じ処理を同一スティプルトレイＦで行うシート後処理装置において、前記シートの幅方向の整合を行う際の前記ジョガーフェンス５３のシート幅に対する整合位置を、端面綴じ処理時の位置に対して中綴じ処理時の位置を異なる位置とする。【選択図】図１
2007284216.tif 000002
【特許請求の範囲】
【請求項１】
画像形成装置から排出されるシートを順次受け入れ、いったんスタックし、且つ整合するスティプルトレイと、このスティプルトレイへ前記シートを排出するスティプル排紙部と、前記シートの搬送方向を揃える戻しコロと、この戻しコロによってシート後端部を突き当てる後端基準フェンスと、前記シートの幅方向を揃えるジョガーフェンスと、綴じ処理を行う綴じ装置及び綴じ処理されたシート束を排紙トレイへ放出する放出機構とを有し、中綴じ処理と端面綴じ処理を同一スティプルトレイで行うシート後処理装置において、前記シートの幅方向の整合を行う際の前記ジョガーフェンスのシート幅に対する整合位置を、端面綴じ処理時の位置に対して中綴じ処理時の位置を異なる位置とすることを特徴とするシート後処理装置。
【請求項２】
前記シートの幅方向の整合を行う際の前記ジョガーフェンスのシート幅に対する待機位置を端面綴じ処理時の位置に対して中綴じ処理時の位置を異なる位置とすることを特徴とする請求項１記載のシート後処理装置。
【請求項３】
前記ジョガーフェンスのシート幅に対する前記待機位置から前記整合位置への移動量を端面綴じ処理時の移動量に対して中綴じ処理時の位置を狭く設定することを特徴とする請求項１又は２記載のシート後処理装置。
【請求項４】
前記シートの幅方向の整合を行う際の前記ジョガーフェンスのシート幅に対する前記待機位置から前記整合位置への移動量を端面綴じ処理時の移動量に対して中綴じ処理時の移動量を異なる量とすることを特徴とする請求項１又は２記載のシート後処理装置。
【請求項５】
前記ジョガーフェンスのシート幅に対する前記待機位置から前記整合位置への移動量を端面綴じ処理時の移動量に対して中綴じ処理時の移動量が大きくなる量とすることを特徴とする請求項４記載のシート後処理装置。
【請求項６】
請求項１乃至５の何れか１項記載のシート後処理装置を併設することを特徴とする画像形成装置。
【発明の詳細な説明】
【技術分野】
【０００１】
本発明は、画像形成装置に併設され、この画像形成装置から排出された転写紙（シート）の仕分け、スタック等を行うソータあるいはフィニッシャ等のシート後処理装置及びこれを併設する画像形成装置に関するものである。
【背景技術】
【０００２】
近年、複写機、プリンタ等の画像形成装置のシート後処理装置も多機能化が進み、従来からの端面綴じに加えて中綴じ処理も可能としたものが多く提案されている（例えば、特許文献１及び２参照）。
特許文献１で知られるように、端面綴じと中綴じを全く別の処理部で行うものが提案されている。この場合、比較的綴じ枚数の多い端面綴じと綴じ枚数の少ない中綴じ部でそれぞれにシート束の厚みに見合った機械構成が可能で品質の安定化が容易となる。
しかし、この機械構成では部品が多くなり、機械が複雑になるとともにコスト高であることはいうまでも無い。そこで、特許文献２に開示されているように端面綴じと中綴じを同一処理部で行うようにしたものが提案されている。
【特許文献１】特開２００２−２６５１３９公報
【特許文献２】特開２００３−１５５１５５公報
【発明の開示】
【発明が解決しようとする課題】
【０００３】
しかしながら、一般的な複写機、プリンタ等は加熱定着装置により画像を定着している。この際、シートの含有水分が蒸発し、シートが収縮することになる。また、この収縮は両面画像の場合には定着装置を２度通るため顕著に現われることになる。
つまり、両面画像の場合は片面画像に比べシートが収縮していまい小さくなるといえる。シートの幅方向を整合する場合はこの大きさの差が揃え不良の原因となる場合がある。端面綴じの場合には片面画像と両面画像が混載しているが、中綴じの場合はその製本の方式から全て両面画像となる。
そこで、本発明の目的は、上述した実情を考慮して、両面画像を中綴じ製本した場合のシートの整合性を高めるシート処理装置及びこれを併設する画像形成装置を提供することにある。
【課題を解決するための手段】
【０００４】
上記の課題を解決するために、請求項１に記載の発明は、画像形成装置から排出されるシートを順次受け入れ、いったんスタックし、且つ整合するスティプルトレイと、このスティプルトレイへ前記シートを排出するスティプル排紙部と、前記シートの搬送方向を揃える戻しコロと、この戻しコロによってシート後端部を突き当てる後端基準フェンスと、前記シートの幅方向を揃えるジョガーフェンスと、綴じ処理を行う綴じ装置及び綴じ処理されたシート束を排紙トレイへ放出する放出機構とを有し、中綴じ処理と端面綴じ処理を同一スティプルトレイで行うシート後処理装置において、前記シートの幅方向の整合を行う際の前記ジョガーフェンスのシート幅に対する整合位置を、端面綴じ処理時の位置に対して中綴じ処理時の位置を異なる位置とすることを特徴とする。
【０００５】
また、請求項２に記載の発明は、前記シートの幅方向の整合を行う際の前記ジョガーフェンスのシート幅に対する待機位置を端面綴じ処理時の位置に対して中綴じ処理時の位置を異なる位置とする請求項１記載のシート後処理装置を特徴とする。
また、請求項３に記載の発明は、前記ジョガーフェンスのシート幅に対する前記待機位置から前記整合位置への移動量を端面綴じ処理時の移動量に対して中綴じ処理時の位置を狭く設定する請求項１又は２記載のシート後処理装置を特徴とする。
また、請求項４に記載の発明は、前記シートの幅方向の整合を行う際の前記ジョガーフェンスのシート幅に対する前記待機位置から前記整合位置への移動量を端面綴じ処理時の移動量に対して中綴じ処理時の移動量を異なる量とする請求項１又は２記載のシート後処理装置を特徴とする。
また、請求項５に記載の発明は、前記ジョガーフェンスのシート幅に対する前記待機位置から前記整合位置への移動量を端面綴じ処理時の移動量に対して中綴じ処理時の移動量が大きくなる量とする請求項４記載のシート後処理装置を特徴とする。
また、請求項６に記載の発明は、請求項１乃至５のいずれか１項記載のシート後処理装置を併設する画像形成装置を特徴とする。
【発明の効果】
【０００６】
本発明によれば、片面、両面の混在があり得る端面綴じに関しては従来どおりの品質を確保し、両面画像が全てである中綴じモードではシート収縮を加味したジョガー幅設定となり、シートの揃え精度確保が可能となる。
【発明を実施するための最良の形態】
【０００７】
以下、図面を参照して、本発明の実施形態を詳細に説明する。図１は本発明の実施の形態に係わるシート後処理装置を示す全体構成図である。画像形成装置に併設されたことを想定し以下に説明をする。このシート後処理装置は、画像形成装置の側部に取り付けられており、画像形成装置より排出されたシートはシート後処理装置に導かれる。
シートは、１枚のシートに後処理を施す後処理手段（実施の形態では穿孔手段としてパンチユニット）を有する搬送路Ａを通り、上トレイ３４へ導く搬送路Ｂ、シフトトレイ３５へ導く搬送路Ｃ、整合及びスティプル綴じ等を行う処理トレイＦへ導く搬送路Ｄへ分岐爪１５及び分岐爪１６によって振り分けられるように構成される。
処理トレイＦで整合及びスティプル等を施されたシートは、偏向手段である分岐ガイド板５４と可動ガイド５５により、シフトトレイ３５へ導く搬送路Ｃ、折り等を施す処理トレイＧへ振り分けられるように構成され、処理トレイＧで折り等を施されたシートは搬送路Ｈを通り、下トレイ３６へ導かれる。
また、搬送路Ｄ内に分岐爪１７が配置されており、図示してない低荷重ばねにより図の状態に保持されており、シート後端がこれを通過した後、搬送ローラ９、１０、スティプル排紙ローラ１１の内少なくとも搬送ローラ９を逆転することによって後端をシート収容部Ｅへ導き滞留させ、次シートと重ね合せて搬送することが可能なように構成されている。この動作を繰り返すことで２枚以上のシートを重ね合せて搬送することも可能である。
【０００８】
搬送路Ｂ、搬送路Ｃ、搬送路Ｄの上流で各々に対し共通な搬送路Ａは、画像形成装置から受け入れるシートを検出する入口センサ１９、その下流に入口ローラ１、パンチユニット２９、搬送ローラ２、分岐爪１５、分岐爪１６を順次配置されている。
分岐爪１５、分岐爪１６は図示してないばねにより図１の状態に保持されており、図示しないソレノイドをオンすることにより、分岐爪１５は上方に、分岐爪１６は下方に、各々回動することによって、搬送路Ｂ、搬送路Ｃ、搬送路Ｄへシートを振り分ける。
搬送路Ｂへシートを導く場合は、分岐爪１５は図１の状態で前記ソレノイドはオフ、搬送路Ｃへシートを導く場合は、図１の状態から前記ソレノイドをオンすることにより、分岐爪１５は上方に、分岐爪１６は下方に、回動した状態となる。
搬送路Ｄへシートを導く場合は、分岐爪１６は図１の状態において前記ソレノイドをオフ、分岐爪１５は図１の状態から前記ソレノイドをオンすることにより、上方に回動した状態となる。
【０００９】
図２は本発明に係わるシート後処理装置のシート積載装置のシフト機構を示す概略斜視図である。図３は本発明に係わるシート後処理装置のシート積載装置の昇降機構を示す概略斜視図である。
本発明によるシート後処理装置が有するシート積載装置は、シフト排紙ローラ６と、戻しコロ１３と、紙面検知センサ４３と、シフトトレイ３５と、図３に示すその昇降機構と図２に示すシフト機構等により構成される。
図１乃至図３を参照して、符号１３はシフト排紙ローラ６から排出されたシートと接してシートの後端をエンドフェンス３２（図２）に突き当てて揃えるためのスポンジ製の戻しコロを示す。この戻しコロ１３は、シフト排紙ローラ６の回転力で回転するようになっている。
戻しコロ１３近傍にはトレイ上昇リミットスイッチ４５（図３）が設けられており、シフトトレイ３５が上昇して戻しコロ１３を押し上げると、トレイ上昇リミットスイッチ４５がオンしてトレイ昇降モータ４８が停止する。これによりシフトトレイ３５のオーバーランが防止される。
戻しコロ１３の近傍には、図１に示すように、シフトトレイ３５の紙面位置を検知する紙面位置検知手段としての紙面検知センサ４３が設けられている。図１には表示していないが紙面検知センサ４３は、図３に示す紙面検知レバー３０と、紙面検知センサ（スティプル用）４３ａと紙面検知センサ（ノンスティプル用）４３ｂとで構成されている。
【００１０】
紙面検知レバー３０はその軸部を中心に回動可能に設けられており、シフトトレイ３５に積載されたシートの後端上面に接触する接触部３０ａと扇形の遮蔽部３０ｂを有している。上方に位置する紙面検知センサ（スティプル用）４３ａは主としてスティプル排紙制御に用いられ、紙面検知センサ（ノンスティプル用）４３ｂは主としてシフト排紙制御に用いられる。
本実施の形態では、遮蔽部３０ｂによって遮られた時に紙面検知センサ（スティプル用）４３ａ及び紙面検知センサ（ノンスティプル用）４３ｂがオンするようになっている。
従って、シフトトレイ３５が上昇して紙面検知レバー３０の接触部３０ａが上方に回動すると、紙面検知センサ（スティプル用）４３ａがオフし、さらに回動すると紙面検知センサ（ノンスティプル用）４３ｂがオンする。
シートの積載量が所定の高さに達したことが紙面検知センサ（スティプル用）４３ａと紙面検知センサ（ノンスティプル用）４３ｂによって検知されると、シフトトレイ３５は所定量下降される。これにより、シフトトレイ３５の紙面位置は略一定に保たれる。
【００１１】
シフトトレイ３５の昇降機構に関連して、図３に示すように、シフトトレイ３５は駆動軸２１が駆動ユニットにより駆動されることにより昇降する。駆動軸２１と従動軸２２との間にはタイミングプーリを介してタイミングベルト２３がテンションをもって掛けられている。
このタイミングベルト２３にシフトトレイ３５を支持する側板２４が固定されており、かかる構成によってシフトトレイ３５を含むユニットが昇降可能に吊り下げられている。
シフトトレイ３５を上下方向に移動させる駆動源としての正逆転可能なトレイ昇降モータ４８で発生した動力がウォームギヤ２５を介して駆動軸２１に固定されたギヤ列の最終ギヤに伝達されるようになっている。
途中にウォームギヤ２５を介しているため、シフトトレイ３５を一定位置に保持することができ、シフトトレイ３５の不意の落下事故等を防止することができるようになっている。
【００１２】
シフトトレイ３５の側板２４には、遮蔽板２４ａが一体に形成されており、下方には積載シートの満載を検出する満杯検知センサ６６と下限位置を検出する下限センサ６７が配置されており、遮蔽板２４ａによって満杯検知センサ６６と下限センサ６７とがオン／オフされるようになっている。
満杯検知センサ６６と下限センサ６７はフォトセンサであり、遮蔽板２４ａによって遮られた時にオンするようになっている。なお、図３において、シフト排紙ローラ６は省略している。
シフトトレイ３５の揺動（シフト）機構は、図２に示すように、シフトモータ４９を駆動源としてシフトカム３１を回転させる。このシフトカム３１には回転軸中心から一定量離れた位置にピンが立っている。
このピンは、シフトトレイ３５上の積載紙の後端をガイドしかつシート排紙方向と直交方向に嵌合されているエンドフェンス３２の長穴部と嵌合している。シフトカム３１の回転により前記ピンと嵌合しているエンドフェンス３２はシート排紙方向と直交方向に移動し、それに伴いシフトトレイ３５も移動する。
シフトトレイ３５は手前と奥の２つの位置で停止し、この停止位置はシフトセンサ４４により検出され、かつシフトトレイ３５の停止動作はシフトモータ４９のオン／オフによりなされる。
【００１３】
図４は開閉ガイド板周辺を説明する概略斜視図である。図１及び図４を参照して、図１に示すように、シフト排紙ローラ６は、駆動ローラ６ａと従動ローラ６ｂを有し、従動ローラ６ｂは、シート排出方向の上流側で適宜支持されかつ上下方向に回動自在設けられた開閉ガイド板３３の自由端部に回転自在に支持されている。
従動ローラ６ｂは自重又は付勢力により駆動ローラ６ａに当接し、シートは両ローラ間に挟持されて排出される。綴じ処理されたシート束が排出される時、開閉ガイド板３３が上方に回動されかつ所定のタイミングで戻されるようになっており、このタイミングはシフト排紙センサ２６の検知信号に基づいて決定される。その停止位置は排紙ガイド板開閉センサ６８の検知信号に基づいて決定され、開閉ガイド板３３は排紙ガイド板開閉モータ５０により駆動される。
【００１４】
図５はスティプル処理を施す処理トレイＦの構成を奥行き方向の位置関係で示す平面図である。図６は後端フェンス近傍を側面図とともに示す概略斜視図である。図７は放出ベルト近傍を示す概略斜視図である。
図１、図５乃至図７を参照してスティプル処理を施す処理トレイＦの構成を詳細に説明する。図６に示すように、スティプル排紙ローラ１１により導かれたシートは、処理トレイＦへ順次積載される。この場合、シートごとに叩きコロ１２で縦方向（シート搬送方向）の整合が行われ、ジョガーフェンス５３にて横方向（シート搬送方向と直交するシート幅方向）の整合が行われる。
【００１５】
ジョブの切れ目、すなわち、シート束の最終紙から次のシート束先頭紙までの間で、制御手段９３（図１６）からのスティプル信号により端面綴じスティプラＳ１が駆動され、綴じ処理が行われる。綴じ処理が行われたシート束は、直ちに放出爪５２ａを有する放出ベルト５２によりシフト排紙ローラ６へ送られ、受け取り位置にセットされているシフトトレイ３５に排出される。
放出爪５２ａは、図７に示すように、放出ベルトＨＰセンサ３８によりそのホームポジションを検知されるようになっており、この放出ベルトＨＰセンサ３８は放出ベルト５２に設けられた放出爪５２ａによりオン／オフする。
この放出ベルト５２の外周上には対向する位置に２つの放出爪５２ａ、５２ａ’が配置されており、処理トレイＦに収容されたシート束を交互に移動搬送する。また、必要に応じて放出ベルト５２を逆回転し、これからシート束を移動するように待機している放出爪５２ａと対向側の放出爪５２ａ’の背面で、処理トレイＦに収容されたシート束の搬送方向先端を揃えても良い。
【００１６】
また、図５に示すように、放出モータ７７により駆動される放出ベルト５２の駆動軸には、シート幅方向整合中心に放出ベルト５２とその駆動プーリ６２とが配置されている。駆動軸には、また、シート幅方向整合中心に対して対称に放出ローラ５６が配置固定されており、放出ローラ５６の周速は放出ベルト５２の周速より速くなるように設定されている。
図６に示すように、叩きコロ１２は支点１２ａを中心に叩きソレノイド７９によって振り子運動を与えられ、処理トレイＦへ送り込まれたシートに間欠的に作用してシートを後端フェンス５１に突き当てる。なお、叩きコロ１２は反時計回りに回転する。ジョガーフェンス５３は、正逆転可能なジョガーモータ７０によりタイミングベルトを介して駆動され、シート幅方向に往復移動する。
【００１７】
図８は端面綴じスティプラＳ１近傍を示す概略斜視図である。図９は図８の端面綴じスティプラＳ１の拡大斜視図である。
端面綴じスティプラＳ１は、図８に示すように、正逆転可能なスティプラ移動モータ８４によりタイミングベルト８４ａを介して駆動され、シート端部の所定位置を綴じるためにシート幅方向に移動する。
その移動範囲の一側端には、端面綴じスティプラＳ１のホームポジションを検出するスティプラ移動ＨＰセンサ８５が設けられており、シート幅方向の綴じ位置は、前記ホームポジションからの端面綴じスティプラＳ１移動量により制御される。
中綴じスティプラＳ２は、図１及び図５に示すように、後端フェンス５１から中綴じスティプラＳ２の針打ち位置までの距離が中綴じ可能な最大シートサイズの搬送方向長さの半分に相当する距離以上となるように配置され、かつ、シート幅方向整合中心に対して対称に２つ配置され、そしてそれらはステー６３に適宜な方法で固定されている。
【００１８】
図１０はシート束偏向手段を説明する概略図である。図１１は図１０のシート束偏向手段の第１の動作状態を説明する概略図である。図１２は図１０のシート束偏向手段の第２の動作状態を説明する概略図である。
図１０乃至図１２を参照して、シート束偏向手段としての分岐ガイド板５４と可動ガイド５５の構成を説明する。図１０に示すように、分岐ガイド板５４は支点５４ａを中心に上下方向に回動自在に設けられ、その下流側に回転自在な加圧コロ５７を有している。この加圧コロ５７はスプリング５８により放出ローラ５６に加圧接触させられる。
【００１９】
また、分岐ガイド板５４の位置は、束分岐駆動モータ７８から駆動力を得て回転するカム６１のカム面６１ａと当接することにより決められる。可動ガイド５５は放出ローラ５６の回転軸に回動自在に支持され、可動ガイド５５には回動自在に連結されたリンクアーム６０が設けられている。
リンクアーム６０は、図５に示す側板６４（ａ、ｂ）に固定された軸と長穴部６０ａで嵌合されており、これにより可動ガイド５５の回動範囲は規制される。また、スプリング５９により下方に付勢されることで図１０の位置に保持される。さらに、束分岐駆動モータ７８から駆動力を得て回転するカム６１のカム面６１ｂによりリンクアーム６０が押されると連結されている可動ガイド５５は上方へ回動する。
カム６１はその遮蔽部６１ｃにより束分岐ガイドＨＰセンサ８８を検知させることで、そのホームポジションを得て、束分岐駆動モータ７８の駆動パルスによりその停止位置を制御する。
【００２０】
図１０は、カム６１がホームポジション時の分岐ガイド板５４と可動ガイド５５の位置関係を示している。可動ガイド５５のガイド面５５ａはシフト排紙ローラ６への経路において、シートをガイドする機能を有している。図１１は、カム６１が回転することにより、分岐ガイド板５４が下方へ回動し、加圧コロ５７が放出ローラ５６を加圧していることを示している。
図１２は、カム６１がさらに回転することにより、可動ガイド５５が上方に回動し、図１の処理トレイＦから処理トレイＧに導く経路を、分岐ガイド板５４と可動ガイド５５とで形成することを示している。
この実施の形態では、分岐ガイド板５４と可動ガイド５５は１つの駆動モータによって動作するように構成されているが、個々に駆動モータを設けて、シートサイズや綴じ枚数に応じて、移動タイミングや停止位置を制御可能に構成しても良い。
【００２１】
図１３は折りプレートの移動機構を処理トレイＧのシート束収容領域から完全に退避したホームポジション位置で示す概略図である。図１４は折りプレートの移動機構を処理トレイＧのシート束中央を折りローラのニップに押し込む位置で示す概略図である。
図１、図１３及び図１４を参照して、折りプレート７４の移動機構を説明する。折りプレート７４は前後側板に立てられた各２本の軸に長穴部７４ａが嵌合することで支持されている。折りプレート７４の軸部７４ｂとリンクアーム７６の長穴部７６ｂは嵌合されており、リンクアーム７６が支点７６ａを中心に揺動することで折りプレート７４は図１３中を左右に往復移動する。
このリンクアーム７６の長穴部７６ｃと折りプレート駆動カム７５の軸部７５ｂは嵌合されており、折りプレート駆動カム７５の回転運動によりリンクアーム７６が揺動する。
折りプレート駆動カム７５は折りプレート駆動モータ８９により図１３中の矢印方向に回転する。その停止位置は、半月形状の遮蔽部７５ａ両端部を折りプレートＨＰセンサ９０が検知することによって決定される。
図１３は処理トレイＧのシート束収容領域から完全に退避したホームポジション位置を示している。折りプレート駆動カム７５を矢印方向に回転させると、折りプレート７４は矢印方向に移動し、処理トレイＧのシート束収容領域に突出する。
図１４は処理トレイＧのシート束中央を折りローラ８１のニップ（図１）に押し込む位置を示している。折りプレート駆動カム７５を矢印方向に回転させると折りプレート７４は矢印方向に移動し、処理トレイＧのシート束収容領域から退避する。
【００２２】
図１を参照して、本実施の形態におけるシートの排出形態を説明する。本実施の形態では、画像形成装置から入口ローラ１を通ってシート後処理装置１４に送給されたシートは、後処理モードに応じて、下記の排出形態をとる。
１）ノンスティプルモードａ：搬送路Ａ及び搬送路Ｂを通り上トレイ３４へ排出される。
２）ノンスティプルモードｂ：搬送路Ａ及び搬送路Ｃを通りシフトトレイ３５へ排出される。
３）ソート、スタックモード：搬送路Ａ及び搬送路Ｃを通りシフトトレイ３５へ排出される。その際、シフトトレイ３５が、部の区切れ毎に排紙方向と直交方向に揺動することで排出されるシートは仕分けられる。
４）スティプルモード：搬送路Ａ及び搬送路Ｄを経て処理トレイＦで整合及び綴じを施され、搬送路Ｃを通りシフトトレイ３５へ排出される。
５）中綴じ製本モード：搬送路Ａ及び搬送路Ｄを経て処理トレイＦで整合及び中央綴じを施され、さらに処理トレイＧで中央折りを施され、搬送路Ｈを通り下トレイ３６へ排出される。
【００２３】
１）のノンスティプルモードａの動作を以下に説明する。搬送路Ａから分岐爪１５で振り分けられたシートは、搬送路Ｂに導かれ、搬送ローラ３と上排紙ローラ４によって上トレイ３４へ排出される。また上排紙ローラ４の近傍に配置され、シートの排出を検出する上排紙センサ２０によって排紙の状態を監視する。
２）のノンスティプルモードｂの動作を以下に説明する。搬送路Ａから分岐爪１５及び分岐爪１６で振り分けられたシートは、搬送路Ｃに導かれ、搬送ローラ５及びシフト排紙ローラ６によってシフトトレイ３５へ排出される。また、シフト排紙ローラ６の近傍に配置され、シートの排出を検出するシフト排紙センサ２６によって排紙の状態を監視する。
３）のソート、スタックモードの動作を以下に説明する。２）のノンスティプルモードｂ時と同様の搬送排紙を行う。その際、排出されるシートは、シフトトレイ３５が部の区切れ毎に排紙方向と直交方向に揺動することによって仕分けられる。
【００２４】
４）のスティプルモードの動作を以下に説明する。搬送路Ａから分岐爪１５分岐爪１６で振り分けられたシートは搬送路Ｄに導かれ、搬送ローラ７、搬送ローラ９、搬送ローラ１０、スティプル排紙ローラ１１により処理トレイＦに排出される。処理トレイＦでは、排紙ローラ１１により順次排出されるシートを整合しかつ所定枚数に達すると、端面綴じスティプラＳ１により綴じ処理を行う。
その後、綴じられたシート束は放出爪５２ａにより下流へ搬送されシフト排紙ローラ６によりシフトトレイ３５へ排出される。またシフト排紙ローラ６の近傍に配置されシートの排出を検出するシフト排紙センサ２６によって排紙の状態を監視する。
【００２５】
図１５はスティプルモード時の処理トレイＦの動作について説明するフローチャートである。図１６は本発明によるシート後処理装置の全体の制御回路を示すブロック図である。
図１、図６、図１５及び図１６を参照して、スティプルモードが選択されると、図６に示すように、ジョガーフェンス５３はホームポジションより移動し、処理トレイＦに排出されるシート幅より片側７ｍｍ離れた待機位置で待機する。シートがスティプル排紙ローラ１１によって搬送され、シート後端がスティプル排紙センサ２８を通過すると、ジョガーフェンス５３が待機位置から５ｍｍ内側に移動して停止する。
また、スティプル排紙センサ２８はシート後端通過時点でそれを検知し、その信号がＣＰＵ９４（図１６）に入力される。ＣＰＵ９４ではこの信号の受信時点からスティプル排紙ローラ１１を駆動する図示しないスティプル搬送モータからの発振パルス数をカウントし、所定パルス発振後に叩きソレノイド７９をオンさせる。
【００２６】
叩きコロ１２は、叩きソレノイド７９のオン／オフにより振り子運動をし、オン時にはシートを叩いて下方向に戻し、後端フェンス５１に突き当てて紙揃えを行う。この時、処理トレイＦに収容されるシートが入口センサ１９あるいはスティプル排紙センサ２８を通過するたびにその信号がＣＰＵ９４に入力され、シート枚数がカウントされる。
叩きソレノイド７９がオフされてから所定時間経過後、ジョガーフェンス５３は、ジョガーモータ７０によってさらに２．６ｍｍ内側に移動していったん停止し、横揃えが終了する。ジョガーフェンス５３はその後７．６ｍｍ外側に移動して待機位置に戻り、次のシートを待つ。この動作を最終頁まで行う。
その後、再び７ｍｍ内側に移動して停止し、シート束の両側端を押えてスティプル動作に備える。その後、所定時間後に図示しないスティプルモータにより端面綴じスティプラＳ１が作動し、綴じ処理が行われる。
この時、２ヶ所以上の綴じが指定されていれば、１ヶ所の綴じ処理が終了した後、スティプル移動モータ８４（図８）が駆動され、端面綴じスティプラＳ１がシート後端に沿って適正位置まで移動され、２ヶ所目の綴じ処理が行なわれる。また、３ヶ所目以降が指定されている場合は、これを繰り返す。
【００２７】
綴じ処理が終了すると、放出モータ７７（図５）が駆動され、放出ベルト５２が駆動される。この時、排紙モータ（図示せず）も駆動され、放出爪５２ａにより持ち上げられたシート束を受け入れるべくシフト排紙ローラ６が回転し始める。この時、ジョガーフェンス５３はシートサイズ及び綴じ枚数により異なるように制御される。例えば、綴じ枚数が設定枚数より少ない、あるいは設定サイズより小さい場合には、ジョガーフェンス５３によりシート束を押えながら放出爪５２ａによりシート束後端を引っ掛けて搬送する。
そして、紙有無センサ３７あるいは放出ベルトＨＰセンサ３８による検知よって所定パルス後にジョガーフェンス５３を２ｍｍ退避させ、ジョガーフェンス５３によるシートへの拘束を解除する。この所定パルスは、放出爪５２ａがシート後端と接触してからジョガーフェンス５３の先端を抜ける間で設定されている。
また、綴じ枚数が設定枚数より多い、あるいは設定サイズより大きい場合には、予めジョガーフェンス５３を２ｍｍ退避させ、放出を行う。いずれの場合もシート束がジョガーフェンス５３を抜けきると、ジョガーフェンス５３は、さらに５ｍｍ外側に移動して待機位置に復帰し、次のシートに備える。なお、シートに対するジョガーフェンス５３の距離により拘束力を調整することも可能である。
【００２８】
上述したスティプルモード時の処理トレイＦの動作について図１５のフローチャートに従って、さらに説明する。図１、図６、図１５及び図１６を参照して、入口ローラ１、搬送ローラ２等の各ローラの回転を開始する（Ｓ１）。分岐爪１５の切り換えをオンにする（Ｓ２）。端面綴じスティプラＳ１をそのホームポジションを検知後に綴じ位置に移動する（Ｓ３）。
次に、放出ベルト５２をそのホームポジションを検知後に待機位置に移動する（Ｓ４）。ジョガーフェンス５３をそのホームポジションを検知後に待機位置、すなわち、シート端面から７ｍｍ外側に移動する（Ｓ５）。分岐ガイド板５４及び可動ガイド５５をホームポジションへ移動する（Ｓ６）。
次いで、入口センサ１９がオンかどうか判断し（Ｓ７）、オンならば、入口センサ１９がオフかどうか判断し（Ｓ８）、オフならば、スティプル排紙センサ２８がオンかどうか判断し（Ｓ９）、オンならば、スティプル排紙センサ２８がオフかどうか判断する（Ｓ１０）。
【００２９】
スティプル排紙センサ２８がオフならば、ジョガーフェンス５３を所定量（５ｍｍ）内側に移動する（Ｓ１１）。叩きコロ１２を所定時間オンする（Ｓ１２）。次いで、ジョガーフェンス５３を所定量（２．６ｍｍ）内側に移動し、１００ｍｓ停止し、その後、待機位置、すなわち、７．６ｍｍ外側に移動する（Ｓ１３）。そして、部の最終紙かどうか判断する（Ｓ１４）。
部の最終紙ならば、ジョガーフェンス５３を所定量（７ｍｍ）内側に移動する（Ｓ１５）。端面綴じスティプラＳ１をオンし（Ｓ１６）、シフトトレイ３５を所定量下降する（Ｓ１７）。シフト排紙ローラ６の回転を開始し（Ｓ１８）、ジョガーフェンス５３を所定量（１ｍｍ）外側に移動する（Ｓ１９）。次いで、放出ベルト５２を所定量回転する（Ｓ２０）。
【００３０】
次に、シフト排紙センサ２６がオンかどうか判断し（Ｓ２１）、オンならば、シフト排紙センサ２６がオフかどうか判断し（Ｓ２２）、オフならば、放出ベルト５２を待機位置へ移動する（Ｓ２３）。次に、ジョガーフェンス５３を待機位置へ移動し（Ｓ２４）、シフト排紙ローラ６の回転を所定時間後停止し（Ｓ２５）、シフトトレイ３５をシート受け入れ位置へ上昇させる（Ｓ２６）。
その後、ジョブの最終部かどうか判断し（Ｓ２７）、端面綴じスティプラＳ１をそのホームポジションに移動し（Ｓ２８）、放出ベルト５２をそのホームポジションに移動し（Ｓ２９）、ジョガーフェンス５３をそのホームポジションに移動する（Ｓ３０）。次いで、入口ローラ１、搬送ローラ２等の各ローラの回転を停止し（Ｓ３１）、分岐爪１５の切り換えをオフにして（Ｓ３２）、動作を終了する。
上述したように、シートの幅方向の整合を行う際のジョガーフェンス５３のシート幅に対する待機位置はシート端面から７ｍｍ外側であり（Ｓ５）、その後、ジョガーフェンス５３を５ｍｍ内側に移動し（Ｓ１１）、さらに、２．６ｍｍ内側に移動して停止後、７．６ｍｍ外側に移動して待機位置に戻す（Ｓ１３）。また、ジョガーフェンス５３を７ｍｍ内側に移動し、シフト排紙ローラ６の回転開始（Ｓ１８）後、１ｍｍ外側に移動する（Ｓ１９）。
【００３１】
中綴じ製本モードの動作を以下に説明する。搬送路Ａから分岐爪１５分岐爪１６で振り分けられたシートは、搬送路Ｄに導かれ、搬送ローラ７搬送ローラ９、搬送ローラ１０、スティプル排紙ローラ１１により処理トレイＦに排出される。
処理トレイＦでは、図６に示すように、ジョガーフェンス５３はホームポジションより移動し、処理トレイＦに排出されるシート幅より片側６．５ｍｍ離れた待機位置で待機する。シートがスティプル排紙ローラ１１によって搬送され、シート後端がスティプル排紙センサ２８を通過すると、ジョガーフェンス５３が待機位置から５ｍｍ内側に移動して停止する。
また、スティプル排紙センサ２８はシート後端通過時点でそれを検知し、その信号がＣＰＵ９４（図１６参照）に入力される。ＣＰＵ９４ではこの信号の受信時点からスティプル排紙ローラ１１を駆動する図示しないスティプル搬送モータからの発振パルス数をカウントし、所定パルス発振後に叩きソレノイド７９をオンさせる。
【００３２】
叩きコロ１２は、叩きソレノイド７９のオン／オフにより振り子運動をし、オン時にはシートを叩いて下方向に戻し、後端フェンス５１に突き当てて紙揃えを行う。この時、処理トレイＦに収容されるシートが入口センサ１９あるいはスティプル排紙センサ２８を通過するたびにその信号がＣＰＵ９４に入力され、シート枚数がカウントされる。
叩きソレノイド７９がオフされてから所定時間経過後、ジョガーフェンス５３は、ジョガーモータ７０によってさらに２．６ｍｍ内側に移動していったん停止し、横揃えが終了する。ジョガーフェンス５３はその後７．６ｍｍ外側に移動して待機位置に戻り、次のシートを待つ。この動作を最終頁まで行う。最終頁を収納後、再び７ｍｍ内側に移動していったん停止し、１ｍｍ外側に移動する。
【００３３】
図１６の本発明によるシート後処理装置の全体の制御回路についてさらに説明する。図１乃至図７及び図１６を参照して、制御手段９４は、図１６に示すように、ＣＰＵ９４、Ｉ／Ｏインターフェース９５等を有するマイクロコンピュータであり、画像形成装置本体の図示しないコントロールパネルの各スイッチ等、及び紙面検知センサ４３（図１）等の各センサからの信号がＩ／Ｏインターフェース９５を介してＣＰＵ９４へ入力される。
ＣＰＵ９４は、入力された信号に基づいて、シフトトレイ３５用のトレイ昇降モータ４８（図３）、開閉ガイド板を開閉する排紙ガイド板開閉モータ１６７、シフトトレイ３５を移動するシフトモータ４９（図２）、叩きコロ１２を駆動する叩きコロモータ、叩きソレノイド７９等の各ソレノイド、各搬送ローラを駆動する搬送モータ、各排紙ローラを駆動する排紙モータ、放出ベルト５２を駆動する放出モータ７７（図５）等の駆動を制御する。
【００３４】
また、ＣＰＵ９４は、端面綴じスティプラＳ１を移動するスティプラ移動モータ８４（図８）、端面綴じスティプラＳ１を斜めに回転する斜めモータ８６（図９）、ジョガーフェンス５３を移動するジョガーモータ７０（図６）、分岐ガイド板５４及び可動ガイド５５を回動する束分岐駆動モータ７８（図５）、その束を搬送する搬送ローラを駆動する束搬送モータ等の駆動を制御する。
さらに、ＣＰＵ９４は、可動後端フェンス７３を移動する後端フェンス移動モータ、折りプレート７４を移動する折りプレート駆動モータ、折りローラ８１を駆動する折りローラ駆動モータ等の駆動を制御する。スティプル排紙ローラを駆動する図示しないスティプル搬送モータのパルス信号はＣＰＵ９４に入力されてカウントされ、このカウントに応じて叩きソレノイド７９及びジョガーモータ７０が制御される。
【００３５】
図１７は図１の整合及びスティプル綴じ等を行う処理トレイＦ及び折り等を施す処理トレイＧを拡大して示す概略図である。図１８は図１７の整合及びスティプル綴じ等を行う処理トレイＦの第１の動作状態を示す概略図である。図１９は図１７の整合及びスティプル綴じ等を行う処理トレイＦの第２の動作状態を示す概略図である。
図２０は図１７の整合及びスティプル綴じ等を行う処理トレイＦの第３の動作状態を示す概略図である。図２１は図１７の整合及びスティプル綴じ等を行う処理トレイＦの第４の動作状態を示す概略図である。
図２２は図１７の折り等を施す処理トレイＧの第１の動作状態を示す概略図である。図２３は図１７の折り等を施す処理トレイＧの第２の動作状態を示す概略図である。図２４は図１７の折り等を施す処理トレイＧの第３の動作状態を示す概略図である。
【００３６】
図１７乃至図２４を参照して、上述したごとく、ジョガーフェンス５３を１ｍｍ外側に移動した後、シート束は、図１９の位置に、放出爪５２ａによりシートサイズ毎に設定された所定距離だけ下流へ運ばれ、再度１ｍｍ内側へ移動し、その中央を中綴じスティプラＳ２により綴じ処理される。
綴じられたシート束は、図２０の位置に、放出爪５２ａにより下流へシートサイズ毎に設定された所定距離搬送され、いったん停止する。この移動距離は放出モータ７７（図７）の駆動パルスにより管理される。
その後、図２０に示すように、シート束先端部は放出ローラ５６と加圧コロ５７により挟持され、分岐ガイド板５４と可動ガイド５５とが回動することで形成され処理トレイＧへ導かれる経路を通過するべく、再度、放出爪５２ａと放出ローラ５６により下流へ搬送される。この放出ローラ５６は放出ベルト５２の駆動軸に設けられており、放出ベルト５２と同期して駆動される。
【００３７】
そして、図２１に示すように、そのシート束は束搬送ローラ上７１と束搬送ローラ下７２により、そのシートサイズに応じた位置にホームポジションから予め移動し、下側の端面をガイドするべく停止している可動後端フェンス７３まで搬送される。
この時、放出爪５２ａは、放出ベルト５２の外周上に対向する位置に配置されたもう１つの放出爪５２ａ’が後端フェンス５１近傍に達した位置で停止し、分岐ガイド板５４と可動ガイド５５はホームポジションへ復帰し、次のシートに備える。
図２２に示すように、可動後端フェンス７３に突き当てられたシート束は、束搬送ローラ下７２の加圧を解除される。その後、図２３に示すように、綴じられた針部近傍は略直角方向に折りプレート７４により押され、その対向する折りローラ８１のニップへと導かれる。予め回転していた折りローラ８１はそのシート束を加圧搬送することで、シート束中央に折りを施す。
図２４に示すように、折りを施されたシート束は第２の折りローラ８２により折りぐせを強化され、下排紙ローラ８３により下トレイ３６へ排出される。この時、シート束後端が折り部通過センサ４１によって検知されると、折りプレート７４の可動後端フェンス７３はホームポジションに復帰し、束搬送ローラ下７２の加圧は復帰され、次のシートに備える。また、次のジョブが同シートサイズ同枚数であれば、可動後端フェンス７３はその位置で待機しても良い。
【００３８】
図２５は中綴じ製本モードの動作を説明するフローチャートである。上述した中綴じ製本モードの動作を以下に説明する。図１、図６、図１６乃至図２５を参照して、入口ローラ１、搬送ローラ２等の各ローラの回転を開始する（Ｓ４１）。分岐爪１５の切り換えをオンにする（Ｓ４２）。ジョガーフェンス５３をそのホームポジションを検知後に待機位置、すなわち、シート端面から６．５ｍｍ外側に移動する（Ｓ４３）。
次に、分岐ガイド板５４及び可動ガイド５５をホームポジションへ移動する（Ｓ４４）。次いで、入口センサ１９がオンかどうか判断し（Ｓ４５）、オンならば、入口センサ１９がオフかどうか判断し（Ｓ４６）、オフならば、スティプル排紙センサ２８がオンかどうか判断し（Ｓ４７）、オンならば、スティプル排紙センサ２８がオフかどうか判断する（Ｓ４８）。
スティプル排紙センサ２８がオフならば、ジョガーフェンス５３を所定量（５ｍｍ）内側に移動する（Ｓ４９）。叩きコロ１２を所定時間オンする（Ｓ５０）。次いで、ジョガーフェンス５３を所定量（２．６ｍｍ）内側に移動し、１００ｍｓ停止し、その後、待機位置、すなわち、７．６ｍｍ外側に移動する（Ｓ５１）。そして、部の最終紙かどうか判断する（Ｓ５２）。
部の最終紙ならば、ジョガーフェンス５３を所定量（７ｍｍ）内側に移動後、１ｍｍ外側に移動する（Ｓ５３）。放出ベルト５２を所定量回転する（Ｓ５４）。ジョガーフェンス５３を１ｍｍ内側に移動する（Ｓ５５）。中綴じスティプラＳ２をオンする（Ｓ５６）。ジョガーフェンス５３を所定量（１ｍｍ）外側に移動する（Ｓ５７）。分岐ガイド板５４及び可動ガイド５５を所定量変位する（Ｓ５８）。
【００３９】
次いで、束搬送ローラ上７１及び束搬送ローラ下７２の回転を開始し（Ｓ５９）、可動後端フェンス７３のホームポジション検知後、待機位置へ移動し（Ｓ６０）、放出ベルト５２を所定量回転する（Ｓ６１）。次に、束到達センサ３９がオンかどうか判断し（Ｓ６２）、オンならば、所定距離搬送したら、束搬送ローラ上７１及び束搬送ローラ下７２の回転を停止する（Ｓ６３）。
続いて、束搬送ローラ下７２の圧力を解除し（Ｓ６４）、折りプレート７４による折り動作を開始する（Ｓ６５）。折りローラ８１及び下排紙ローラ８３の回転を開始する（Ｓ６６）。折り部通過センサ４１がオンかどうかを判断し（Ｓ６７）、オンならば、折りプレート７４をホームポジションへ移動する（Ｓ６８）。束到達センサ３９がオフかどうか判断し（Ｓ６９）、オフならば、束搬送ローラ下７２を加圧する（Ｓ７０）。
分岐ガイド板５４及び可動ガイド５５をホームポジションへ移動する（Ｓ７１）。折り部通過センサ４１がオフかどうかを判断し（Ｓ７２）、オフならば、折りローラ８１及び下排紙ローラ８３を所定時間回転後、回転を停止する（Ｓ７３）。放出ベルト５２を待機位置へ移動する（Ｓ７４）。
ジョガーフェンス５３を待機位置へ移動する（Ｓ７５）。次に、ジョブの最終部かどうか判断し（Ｓ７６）、最終部ならば、放出ベルト５２をホームポジションへ移動する（Ｓ７７）。次いで、ジョガーフェンス５３をホームポジションへ移動し（Ｓ７８）、各ローラの回転を停止し（Ｓ７９）、分岐爪１５の切り換えをオフし（Ｓ８０）、動作を終了する。
【００４０】
上述したように、シートの幅方向の整合を行う際のジョガーフェンス５３のシート幅に対する待機位置はシート端面から６．５ｍｍ外側であり（Ｓ４３）、その後、ジョガーフェンス５３を５ｍｍ内側に移動し（Ｓ４９）、さらに、２．６ｍｍ内側に移動して停止後、７．６ｍｍ外側に移動して待機位置に戻す（Ｓ５１）。
また、ジョガーフェンス５３を７ｍｍ内側に移動し（Ｓ５３）、さらに、放出ベルト５２を所定量回転（Ｓ５４）後、１ｍｍ内側に移動し（Ｓ５５）、中綴じスティプラＳ２オン（Ｓ５６）後、１ｍｍ外側に移動する（Ｓ５７）。
中綴じ処理時においては、上記の各ステップに対応して、また、シートの幅方向の整合を行う際のジョガーフェンス５３のシート幅に対する待機位置はシート端面から７ｍｍ外側であり（Ｓ４３）、その後、ジョガーフェンス５３を５．５ｍｍ内側に移動し（Ｓ４９）、さらに、２．６ｍｍ内側に移動して停止後、８．１ｍｍ外側に移動して待機位置に戻す（Ｓ５１）。
また、ジョガーフェンス５３を７．５ｍｍ内側に移動し、１ｍｍ外側に移動し（Ｓ５３）、さらに、放出ベルト５２を所定量回転（Ｓ５４）後、１ｍｍ内側に移動し（Ｓ５５）、中綴じスティプラＳ２オン（Ｓ５６）後、１ｍｍ外側に移動する（Ｓ５７）ようにしている。
【図面の簡単な説明】
【００４１】
【図１】本発明の実施の形態に係わるシート後処理装置を示す全体構成図である。
【図２】本発明に係わるシート後処理装置のシート積載装置のシフト機構を示す概略斜視図である。
【図３】本発明に係わるシート後処理装置のシート積載装置の昇降機構を示す概略斜視図である。
【図４】開閉ガイド板周辺を説明する概略斜視図である。
【図５】スティプル処理を施す処理トレイＦの構成を奥行き方向の位置関係で示す平面図である。
【図６】後端フェンス近傍を側面図とともに示す概略斜視図である。
【図７】放出ベルト近傍を示す概略斜視図である。
【図８】端面綴じスティプラＳ１近傍を示す概略斜視図である。
【図９】図８の端面綴じスティプラＳ１の拡大斜視図である。
【図１０】シート束偏向手段を説明する概略図である。
【図１１】図１０のシート束偏向手段の第１の動作状態を説明する概略図である。
【図１２】図１０のシート束偏向手段の第２の動作状態を説明する概略図である。
【図１３】折りプレートの移動機構を処理トレイＧのシート束収容領域から完全に退避したホームポジション位置で示す概略図である。
【図１４】折りプレートの移動機構を処理トレイＧのシート束中央を折りローラのニップに押し込む位置で示す概略図である。
【図１５】スティプルモード時の処理トレイＦの動作について説明するフローチャートである。
【図１６】本発明によるシート後処理装置の全体の制御回路を示すブロック図である。
【図１７】図１の整合及びスティプル綴じ等を行う処理トレイＦ及び折り等を施す処理トレイＧを拡大して示す概略図である。
【図１８】図１７の整合及びスティプル綴じ等を行う処理トレイＦの第１の動作状態を示す概略図である。
【図１９】図１７の整合及びスティプル綴じ等を行う処理トレイＦの第２の動作状態を示す概略図である。
【図２０】図１７の整合及びスティプル綴じ等を行う処理トレイＦの第３の動作状態を示す概略図である。
【図２１】図１７の整合及びスティプル綴じ等を行う処理トレイＦの第４の動作状態を示す概略図である。
【図２２】図１７の折り等を施す処理トレイＧの第１の動作状態を示す概略図である。
【図２３】図１７の折り等を施す処理トレイＧの第２の動作状態を示す概略図である。
【図２４】図１７の折り等を施す処理トレイＧの第３の動作状態を示す概略図である。
【図２５】中綴じ製本モードの動作を説明するフローチャートである。
【符号の説明】
【００４２】
Ｆ  スティプルトレイ（端面綴じ処理トレイ）、Ｇ  スティプルトレイ（中綴じ処理トレイ）、６  スティプル排紙部、９  搬送ローラ、１０  搬送ローラ、１１  スティプル排紙ローラ、１３  戻しコロ、１５  分岐爪、３４  上トレイ、３５  シフトトレイ、３６  下トレイ、５２  放出機構（放出ベルト）、５２ａ  放出機構（放出爪）、５３  ジョガーフェンス、５４  分岐ガイド板、５５  可動ガイド、７３  後端基準フェンス、７７  放出機構（放出モータ）
【図１】
2007284216.tif 000003
【図２】
2007284216.tif 000004
【図３】
2007284216.tif 000005
【図４】
2007284216.tif 000006
【図５】
2007284216.tif 000007
【図６】
2007284216.tif 000008
【図７】
2007284216.tif 000009
【図８】
2007284216.tif 000010
【図９】
2007284216.tif 000011
【図１０】
2007284216.tif 000012
【図１１】
2007284216.tif 000013
【図１２】
2007284216.tif 000014
【図１３】
2007284216.tif 000015
【図１４】
2007284216.tif 000016
【図１５】
2007284216.tif 000017
【図１６】
2007284216.tif 000018
【図１７】
2007284216.tif 000019
【図１８】
2007284216.tif 000020
【図１９】
2007284216.tif 000021
【図２０】
2007284216.tif 000022
【図２１】
2007284216.tif 000023
【図２２】
2007284216.tif 000024
【図２３】
2007284216.tif 000025
【図２４】
2007284216.tif 000026
【図２５】
2007284216.tif 000027